(57)【要約】【課題】開封口の確認が不要であり、かつ、比較的小さな力で開封できるカップ型容器を提案する。【解決手段】カップ型容器を、上方に向けて開放された口部を有するカップ型断面形状をなす容器本体１と、この容器本体１の口部の外周縁に一体連結するフランジ部１ｃとを備えたもので構成する。そして、フランジ部１ｃにフィルム２を融着して容器本体１の口部を密閉するとともに、フランジ部１ｃに、少なくともフィルム２の一部分が融着され、該フランジ部１ｃからの切り離しを可能に連結する切り離し舌片３を設ける。切り離し舌片３としては、ヒンジｈを起点に引き起こすとともに引張力を付与してフランジ部１ｃからの切り離しを行うとともにフィルム２を全域について引き剥がすプルリング５を設ける。【選択図】図２
2010195448.tif 000002
【特許請求の範囲】
【請求項１】
上方に向けて開放された口部を有するカップ型断面形状をなす容器本体と、この容器本体の口部の外周縁に一体連結するフランジ部とを備え、該フランジ部にフィルムを融着して容器本体の口部を密閉するカップ型容器であって、
前記フランジ部に、少なくともフィルムの一部分が融着され、該フランジ部からの切り離しを可能に連結する切り離し舌片を設け、
該切り離し舌片に、ヒンジを起点に引き起こすとともに引張力を付与してフランジ部からの切り離しを行うとともにフィルムを引き剥がすプルリングを配設してなることを特徴とするカップ型容器。
【請求項２】
前記フランジ部は、その一部分に切欠凹部を有し、前記切り離し舌片は、該切欠凹部に破断可能に嵌り込んだものである、請求項１記載のカップ型容器。
【請求項３】
前記プルリングと切り離し舌片とは、開孔の嵌入によってその抜け出しを不能とする楔状の突起にて相互連結されたものである、請求項１又は２記載のカップ型容器。
【発明の詳細な説明】
【技術分野】
【０００１】
本発明は、カップ型容器に関するものであり、該容器の容易な開封を実現しようとするものである。
【背景技術】
【０００２】
プリンやゼリー、アイスクリーム等の水菓子類やコーヒーや牛乳等の飲料を入れるのに用いられるカップ型の容器は、口部にアルミ製あるいは樹脂製のシートを貼り付けることによって密封するようになっている。
【０００３】
ところで、かかるシートには、容器の開封を容易ならしめるために、摘み片が設けられているものの、そのサイズが小さいために力を入れにくく、容器の開封がしにくいという不具合があった。
【０００４】
上記のような不具合の解消を図った先行技術としては、容器の口部を取り囲むリングを配置し、シートの一部分を該リングに融着一体化し、その部位の反対側からリングを切断、それを把手として機能させることでシートを引き剥がすようにしたリング付きの容器が知られている（特許文献１参照）。しかしながら、従来のリング付き容器は、該リングと密封用のシートがどの部位で一体化しているか目視でもって判別しにくく（どの部位から開封してよいかわかり難い）、その改善が求められていた。
【先行技術文献】
【特許文献】
【０００５】
【特許文献１】実公平３−３５０３号公報
【発明の概要】
【発明が解決しようとする課題】
【０００６】
本発明の課題は、従来のカップ型容器において生じていた不具合を解消するとともに、比較的小さな力を付与するのみで簡単に開封ができるカップ型容器を提案するところにある。
【課題を解決するための手段】
【０００７】
本発明は、上方に向けて開放された口部を有するカップ型断面形状をなす容器本体と、この容器本体の口部の外周縁に一体連結するフランジ部とを備え、該フランジ部にフィルムを融着して容器本体の口部を密閉するカップ型容器であって、
前記フランジ部に、少なくともフィルムの一部分が融着され、該フランジ部からの切り離しを可能に連結する切り離し舌片を設け、
該切り離し舌片に、ヒンジを起点に引き起こすとともに引張力を付与してフランジ部からの切り離しを行うとともにフィルムを引き剥がすプルリングを配設してなることを特徴とするカップ型容器である。
【０００８】
上記の構成になるカップ型容器におけるフランジ部としては、その一部分に切欠凹部を有するものを適用し、前記切り離し舌片としては、該切欠凹部に破断可能なもぎりリブを介して嵌り込んだものを適用するのが望ましく、プルリングと切り離し舌片とは、開孔の嵌入によってその抜け出しを不能とする楔状の突起にて相互連結するのがとくに好ましい。
【発明の効果】
【０００９】
切り離し舌片に密封用のシートの一部を熱融着、あるいは接着剤等で貼着しておき、この部位に設けたプルリングを引っ張ることによって開封するようにしたため、どの部位を把持して開封すればよいか明確であり、しかも、比較的小さな力でもって簡単に開封することができる。
【図面の簡単な説明】
【００１０】
【図１】本発明にしたがうカップ型容器の実施の形態を側面ついて模式的に示した図である。
【図２】図１の平面を示した図である。
【図３】プルリングの取り付け状態を断面（図２のＡ−Ａ断面）で示した図である。
【図４】プルリングを引き起こした状態を示した図である。
【発明を実施するための形態】
【００１１】
以下、図面を用いて本発明をより具体的に説明する。
図１は、本発明にしたがうカップ型容器の実施の形態を側面について模式的に示した図（右側半分を断面で表示している）であり、図２は図１の平面を示した図である。
【００１２】
図における１は容器本体である。この容器本体１は、底部を形成する壁部１ａと、この壁部１ａの縁部に一体連結してその内側に内容物の収納空間Ｍを形成する周壁１ｂと、この周壁１ｂの上端部に一体連結するフランジ部１ｃから構成されており、該フランジ部１ｃの内側において容器の口部を形成している。ここに、容器本体１は、円形状や角形状等のカップ型が好ましく、とくに容器形体については限定されない。
【００１３】
２は、容器本体１のフランジ部１ｃと少なくとも切り離し舌片の一部分に熱融着あるいは貼着されて容器の口部を密閉するフィルムである。このフィルム２としては樹脂やアルミ製のシートが適用される。３はフランジ部１ｃの切欠凹部１ｃ１（図２参照）に設けられた切り離し舌片である。この切り離し舌片３は複数箇所のもぎりリブ４によって切欠凹部１ｃ１に破断可能に一体連結しており、フィルム２の一部分（凸状部２ａ）は、その上面部に張り付いた状態（融着や接着剤による貼着等）になっている。
【００１４】
上記のフィルム２は、容器本体１の口部を閉塞し、かつ、少なくとも切り離し舌片３の一部分を覆っていればよいので、フランジ部１ｃの全域または切り離し舌片３の全域を熱融着あるいは貼着してもよい。フランジ部１ｃと切り離し舌片３の全域にフィルムを形成した場合には、フィルム２の熱融着、貼着に際して位置合わせが簡単になる利点がある。
【００１５】
５はフィルム２を容器本体１の口部に融着あるいは貼着したのちにセットされるプルリングである。このプルリング５は、手指を掛ける把手部５ａと、この把手部５ａにヒンジｈを介してつながる基部５ｂからなっており、基部５ｂには、図３に示す如く、切り離し舌片３に設けられた開孔３ａに抜け出し不能に嵌入してプルリング５を切り離し舌片３に連結する楔状の突起５ｃが設けられている。
【００１６】
上記の構成になる容器においては、把手部５ａに指を掛け、図４に示すように、ヒンジｈを起点に把手部５ａを引き起こす（手前側に折り曲げる）とともに、該把手部５ａに引張力を付与することで切り離し舌片３がフランジ部１ｃから離脱しフランジ部１ｃからフィルム２が引き剥がされることになる。
【００１７】
本発明にしたがうカップ型容器は、基本的には合成樹脂によって成形（射出成形等）されるものであり、プルリング５の取り付けは、切り離し舌片３に形成した開孔３ａに楔状の突起５ｃを押し込むだけですむので、容器の効率的な製造が可能となる。
【００１８】
切り離し舌片３をフランジ部１ｃの切欠凹部１ｃ１につなぎ止めておくもぎりリブ４は、図４の如く、該切り離し舌片３の幅方向端部の両側に設けておくのが最もよい（もぎりリブ４を起点に切り離し舌片３を回動させやすくなる）が、切欠凹部１ｃ１の切り込み端に設けることも可能であり、この点については限定されない。
【産業上の利用可能性】
【００１９】
どこの部位から開封を開始してよいか一目でわかる易開封性のカップ型容器が提供できる。
【符号の説明】
【００２０】
１      容器本体
１ａ    壁部
１ｂ    周壁
１ｃ    フランジ部
２      フィルム
２ａ    凸状部
３      切り離し舌片
３ａ    開孔
４      もぎりリブ
５      プルリング
５ａ    把持部
５ｂ    基部
Ｍ      収納空間
【図１】
2010195448.tif 000003
【図２】
2010195448.tif 000004
【図３】
2010195448.tif 000005
【図４】
2010195448.tif 000006